(57)【要約】【課題】耳あな型又は耳かけ型の何れの補聴器であっても耳からの落下を防止でき、既存の補聴器に着脱可能であることで全体の装飾性を向上でき、安定した装着性を発揮しつつ容易に耳に着脱できる補聴器付きイヤリングと、落下防止機能を有する補聴器を提供する。【解決手段】補聴器付きイヤリングは、イヤリング本体１、５０の少なくとも一端部に連結部材５、７５を設け、この連結部材５、７５に形成した係止部１０、８０を耳あな型補聴器の取出突部２１又は耳かけ型補聴器の紐状部６１に着脱自在に係止させた。落下防止機能を有する補聴器は、耳あな型、耳かけ型或はその他のタイプを有する補聴器本体２０、６０にイヤリング本体１、５０を連結し、このイヤリング本体１、５０を耳たぶに装着することによって補聴器本体２０の落下を防いだ。【選択図】      図１
2014225771.tif 000002
【特許請求の範囲】
【請求項１】
イヤリング本体の少なくとも一端部に連結部材を設け、この連結部材に形成した係止部を耳あな型補聴器の取出突部又は耳かけ型補聴器の紐状部に着脱自在に係止させたことを特徴とする補聴器付きイヤリング。
【請求項２】
前記イヤリング本体は、装飾部材と回動装飾材の基端部の何れか一方側に回動脚部と他方側に回動基部を形成し、一対の回動脚部と回動基部の間に金属薄板を介在させ、かつ軸部で加締めて構成した請求項１に記載の補聴器付きイヤリング。
【請求項３】
前記金属薄板は、多角形状で一対から成り、かつ当該金属薄板の一面を膨張させてアール面を形成し、前記回動基部の側面幅を金属薄板の多角形の外接円直径より長く形成して、前記金属薄板の外周縁部が回動基部の側面幅より露出することなく、一対の回動脚部と回動基部の圧接面で金属薄板の外周縁部を圧接させた請求項２に記載の補聴器付きイヤリング。
【請求項４】
前記連結部材は、前記装飾部材の自由端部に長尺状の金属製材で一体に突設させ、前記イヤリング本体と一体に装飾機能を発揮させた請求項２又は３に記載の補聴器付きイヤリング。
【請求項５】
前記連結部材の係止部は、長孔状の挿通孔又は挿通部である請求項１に記載の補聴器付きイヤリング。
【請求項６】
請求項１乃至請求項５の何れか１項において、耳あな型、耳かけ型或はその他のタイプを有する補聴器本体に前記イヤリング本体を連結し、このイヤリング本体を耳たぶに装着することによって前記補聴器本体の落下を防いだことを特徴とする落下防止機能を有する補聴器。
【発明の詳細な説明】
【技術分野】
【０００１】
本発明は、耳あな型や耳かけ型の補聴器付きイヤリングと、耳からの落下防止機能を有する補聴器に関する。
【背景技術】
【０００２】
近年、補聴器は耳への装着性の向上が望まれており、耳からの落下防止を図った各種の技術が提案されている。
例えば、特許文献１は耳かけ型の補聴器用の保持具であり、この保持具は、耳掛け形補聴器のフックに着脱可能なフック係合部が形成され、このフック係合部を介して補聴器に取付けられることで、フック係合部の反対側が耳介下部から前面に回り込み、フックとの協働によって耳掛け形補聴器の耳介からの脱落が防止されている。
特許文献２はイヤリング型の補聴器であり、耳介を挟持する支持部と、この支持部に一体に設けられたアーム部及び音出力部からなり、支持部が支持本体部と保持用ねじとからによってイヤリングに構成されている。この補聴器は、支持部で耳たぶを挟持させ、アーム部と音出力部との姿勢を調整させることで、外耳道の密閉による不快感から解放されるオープンフィッティング型であり、装着性の向上と同時に装飾性の向上も図られている。
特許文献３の補聴器は耳あな型の補聴器であり、補聴器本体に設けられた飾り取付部と耳飾りとにより、装着時の位置決めと装飾性の向上とが図られている。
【先行技術文献】
【特許文献】
【０００３】
【特許文献１】実用新案登録第２５１１１２４号公報
【特許文献２】特開２００４−２２９１７９号公報
【特許文献３】特許第５１３７１１４号公報
【発明の概要】
【発明が解決しようとする課題】
【０００４】
特許文献１の補聴器保持具は、補聴器の耳からの落下を防ぐことは可能にはなるが、補聴器のフックに延長して取付けられるため、補聴器全体がより大型化して装飾性が失われる。更に、この補聴器保持具は耳かけ型専用であり、耳あな型の補聴器には利用することができない。
特許文献２の補聴器は、専用の特殊形状の補聴器本体にイヤリング部分である支持部、アーム部、音出力部が一体に設けられた構造であるため、既存の補聴器に使用することができない。このため、異なる装飾性を持たせたい場合、別の補聴器が必要になってコストもかかる。さらに、アーム部が所定長さに設けられているためにこのアーム部の長さを調整することができず、異なる耳の大きさによってアーム部が余って装飾性が失われたり、アーム部の長さが足りなくなるおそれもある。
特許文献３の補聴器は、装着時の位置決めや装飾性の向上は可能にはなるが、脱落防止機能を発揮することはできない。この補聴器も特許文献２の場合と同様に、専用の補聴器本体が必要になるため既存の補聴器を使用することができず、耳飾りを交換する場合には飾り取付け部に着脱できる専用の耳飾りが必要になっていた。
【０００５】
本発明は、上記の課題点を解決するために開発したものであり、その目的とするところは、耳あな型又は耳かけ型の何れの補聴器であっても耳からの落下を防止でき、既存の補聴器に着脱可能であることで全体の装飾性を向上でき、安定した装着性を発揮しつつ容易に耳に着脱できる補聴器付きイヤリングと、落下防止機能を有する補聴器を提供することにある。
【課題を解決するための手段】
【０００６】
上記目的を達成するため、本発明の補聴器付きイヤリングは、イヤリング本体の少なくとも一端部に連結部材を設け、この連結部材に形成した係止部を耳あな型補聴器の取出突部又は耳かけ型補聴器の紐状部に着脱自在に係止させたことを特徴とする。
【０００７】
さらに、本発明の補聴器付きイヤリングは、イヤリング本体は、装飾部材と回動装飾材の基端部の何れか一方側に回動脚部と他方側に回動基部を形成し、一対の回動脚部と回動基部の間に金属薄板を介在させ、かつ軸部で加締めて構成したものである。
【０００８】
本発明の補聴器付きイヤリングは、金属薄板は、多角形状で一対から成り、かつ当該金属薄板の一面を膨張させてアール面を形成し、回動基部の側面幅を金属薄板の多角形の外接円直径より長く形成して、金属薄板の外周縁部が回動基部の側面幅より露出することなく、一対の回動脚部と回動基部の圧接面で金属薄板の外周縁部を圧接させたものである。
【０００９】
本発明の補聴器付きイヤリングは、連結部材は、装飾部材の自由端部に長尺状の金属製材で一体に突設させ、イヤリング本体と同様に装飾機能を発揮させたものである。
【００１０】
本発明の補聴器付きイヤリングにおいて、連結部材の係止部は、長孔状の挿通孔又は挿通部である。
【００１１】
また、落下防止機能を有する補聴器は、耳あな型、耳かけ型或はその他のタイプを有する補聴器本体に前記イヤリング本体を連結し、このイヤリング本体を耳たぶに装着することによって補聴器本体の落下を防いだことを特徴とする。
【発明の効果】
【００１２】
本発明の補聴器付きイヤリングによると、イヤリング本体の連結部材の係止部を取出突部又は紐状部に着脱自在に係止することにより、耳あな型又は耳かけ型の何れの補聴器でも耳からの落下を防止でき、既存の補聴器に着脱可能に設けることが可能であることにより、この補聴器を使用しながら全体の装飾性を向上でき、安定した装着性を発揮しつつ容易に耳に着脱することも可能になる。
【００１３】
この場合、イヤリング本体において、軸部を介して装飾部材と回動装飾材とが相互に回動可能な状態で、金属薄板を介在させた状態で軸部で加締めて構成されていることにより、自由端部を開閉させて容易に耳たぶに着脱できる。しかも、自由端部の開閉を調節することで、耳たぶの厚さに応じて最適な挟着状態で装着できる。
【００１４】
金属薄板にアール面を形成していることで、このアール面を有する金属薄板は弾性が大きくなり、回動脚部と回動基部の間に介在させて軸部で加締めたときに、圧縮されて弾性変形した金属薄板には大きな復元力が発生し、その外縁部を回転脚部及び回動基部の圧接面に大きな力で圧接させる。このため、金属薄板の外縁部と回動脚部及び回動基部の圧接面との間には大きな摩擦力が発生するので、イヤリングに大きな挟着力を生じさせ、使用中に緩みを発生することがない。
【００１５】
連結部材を装飾部材の自由端部に一体に突出させていることで、全体の優れた装飾性を維持しながらこのイヤリング本体の一部である連結部材を利用して補聴器の脱落防止機能を発揮でき、しかも、製作も容易となる。
【００１６】
さらに、連結部材の係止部を長孔状の挿通孔又は挿通部とすることで係止部の加工も容易になり、挿通孔又は挿通部に対して補聴器の既存の突出突部又は紐状部を差し込んで係止させることで、イヤリング本体を補聴器に簡単に取付けできる。補聴器への取付け後には、挿通孔や挿通部に対して突出突部又は紐状部をスライドさせることでイヤリング本体と補聴器との位置を調節でき、耳の大きさに応じてフィットした状態で装着できる。
【００１７】
また、落下防止機能を有する補聴器によると、装飾性を有するイヤリング本体により耳あな型、耳かけ型或はその他のタイプの補聴器本体の落下を防ぐことができ、補聴器本体の形状を変更したり加工を加えることなく既存の補聴器本体を使用してこの補聴器本体の落下を防止できる。
【図面の簡単な説明】
【００１８】
【図１】本発明における補聴器付きイヤリングの第１実施形態の装着状態を示す斜視図である。
【図２】（ａ）は、図１のイヤリングの耳への装着状態を示す一部切欠き正面図である。（ｂ）は、（ａ）の左側面図である。
【図３】本発明における補聴器付きイヤリングの第２実施形態の装着状態を示す斜視図である。
【図４】（ａ）は、図３のイヤリングの耳への装着状態を示す正面図である。（ｂ）は、（ａ）の左側面図である。
【図５】本発明における補聴器付きイヤリングの第３実施形態の装着状態を示す斜視図である。
【図６】本発明における補聴器付きイヤリングの第４実施形態の装着状態を示す斜視図である。
【図７】（ａ）は、軸着部分を示した一部拡大平面図である。（ｂ）は、金属薄板と回動脚部、回動基部の位置関係を示す概念図である。（ｃ）は、軸着部分を示す一部拡大断面図である。
【発明を実施するための形態】
【００１９】
以下に、本発明における補聴器付きイヤリング並びに落下防止機能を有する補聴器の実施形態を図面に基づいて詳細に説明する。図１においては、本発明における補聴器付きイヤリングの第１実施形態を示しており、図２においては、図１の補聴器付きイヤリングの耳への装着状態を示している。この実施形態では、イヤリングは耳あな型補聴器に取付けられる。
【００２０】
図中、イヤリング本体１は、略半円状の装飾部材２と回動装飾材３とを有し、これらの基端部側が軸着されることで自由端部側で耳たぶＥを挟着して装飾機能を発揮可能になっている。少なくとも装飾部材２と回動装飾材３の何れか一端部には連結部材５が設けられ、この連結部材は、本実施形態においては装飾部材２の自由端部に長尺状の金属製材で一体に突設形成され、イヤリング本体１と一体に装飾機能を発揮可能になっている。
【００２１】
図２（ｂ）において、連結部材５には係止部１０が設けられ、この係止部１０は、着脱穴１１、長穴部１２、円弧状溝１３を有する長孔状の挿通孔よりなっている。着脱穴１１は、丸穴状に形成され、その内径φｄが図２（ａ）に示した補聴器本体２０に設けられた取出突部２１の先端側の球状部２２の外径φＤよりも、やや大きく形成されている。長穴部１２は、着脱穴１１に続けて連結部材５の長さ方向に沿うように形成され、その幅Ｗ１が取出突部２１に設けられた紐状部２３の太さＴ１よりもやや広く、かつ球状部２２の外径φＤよりも小さく設けられる。円弧状溝１３は、係止部１０における着脱穴１１の他端側に、球状部２２を係止可能な大きさにより溝状に設けられ、矢印に示すように取出突部２１をこの円弧状溝１３まで移動させたときには、球状部２２がこの円弧状溝１３に係止可能になり補聴器本体２０を位置決めできるようになっている。
このような構成であることにより、係止部１０を耳あな型補聴器本体２０の取出突部２１に着脱自在に係止させることで、イヤリング本体１を補聴器本体２０に取付けた補聴器付きイヤリングが設けられる。係止部は、長孔状の挿通孔以外の挿通部であってもよい。
【００２２】
図１、図７に示すように、イヤリング本体１における装飾部材２と回動装飾材３の基端部の何れか一方側に回動脚部３０、他方側に回動基部３１が形成される。本実施形態では、回動装飾材３の基端部に二股形状の回動脚部３０、３０、装飾部材２の基端部に両側段部形状の回動基部３１がそれぞれ形成される。図７において、回動脚部３０、回動基部３１にはそれぞれ軸穴３２、３２が穿設され、一対の回動脚部３０と回動基部３１との間に金属薄板３３を介在させ、かつ軸穴３２にピン状の軸部３４を挿入して加締めることで軸着部位が構成されて装飾部材２と回動装飾材３とが互いに回動可能になっている。
【００２３】
装飾部材２、回動装飾材３の端部側には、耳たぶＥを挟持するための挟持部３５、３６が設けられている。挟持部３５、３６には凹凸部位が形成され、この凹凸部位によって耳たぶＥへの挟着時の滑り止め性能を発揮できるようになっている。
【００２４】
装飾部材２並びに回動装飾材３は、例えば、１８Ｋ等の金、プラチナ、シルバー等の貴金属材料から形成され、これにより装飾的価値が高められている。これら装飾部材２や回動装飾材３の適宜位置には、図示しないダイヤモンド等の宝石を取付けることも可能である。
【００２５】
図７（ａ）に示すように、金属薄板３３は、多角形状で一対からなり、本例においては図７（ｂ）に示すように六角形に形成され、かつ図７（ｃ）に示すように当該金属薄板３３の一面を膨張させることによりアール面３８が形成されている。金属薄板３３は、アール面３８により立体形状をなしていることで平坦な薄板に比較して全体の弾性が向上し、さらに、この金属薄板３３を組み込む場合、図７（ｃ）における対向する一対のアール面３８、３８同士を対向させた状態で回動脚部３０と回動基部３１との間にそれぞれ装着することで弾性がより向上する。
【００２６】
金属薄板３３の中央には軸穴部３９が形成され、この軸穴部３９に軸部３４を挿通可能になっている。金属薄板３３は、適度の硬さを有し、弾性に富む材質であれば適宜の材料を用いることができ、例えば、ステンレスなどの鋼等を使用できる。
【００２７】
図７（ｂ）に示すように、上記した回動基部３１の側面幅ｂは、多角形の金属薄板３３の一点鎖線に示した外接円直径ａよりも長く形成され、これにより金属薄板３３の外周縁部４０が回動基部３１の側面幅ｂより露出することがない。この状態で金属薄板３３側の一対の回動脚部３０と回動基部３１の圧接面４１、４２で金属薄板３３を圧接させている。
【００２８】
図１に示した耳あな型の補聴器本体２０は、前述した球状部２２と紐状部２３とを有する取出突部２１が設けられ、この取出突部２１を介して上記イヤリング本体１が着脱可能に設けられる。補聴器本体２０は一般的に使用されている既存のものであり、取出突部２１は、耳穴からの取出し用として補聴器本体２０に予め設けられている。
【００２９】
図示しないが、耳あな型補聴器本体２０には、取出突部２１以外にも、アンプ、マイク、電池等の各種部品が内蔵され、これらによって外部の音を拡大増幅可能になっている。補聴器本体２０は小型化・軽量化が図られており、先端側を耳あなに挿入するだけで簡単に装着でき、目だたずに煩わしさを抑えながら使用できる。
この補聴器本体２０にイヤリング本体１を連結し、このイヤリング本体１を耳たぶＥに装着することにより、補聴器本体２０の落下を防いだ落下防止機能を有する補聴器を設けることができる。
【００３０】
上述した補聴器付きイヤリングを耳に装着する際には、先ず、図２（ａ）においてイヤリング本体１を補聴器本体２０に取付ける。この場合、補聴器本体２０の取出突部２１の球状部２２を連結部材５の着脱穴１１の内側（図における右側）から挿入して外側（図における左側）に突出させ、紐状部２３を長穴部１２に対して上方向にスライドさせて球状部２２が円弧状溝１３の位置になるようにする。
【００３１】
次いで、図１に示すように補聴器本体２０を耳あなに挿入し、装飾部材２、回動装着材３を開いて耳たぶＥを挟む位置に調節した後に、装飾部材２と回動装着材３との外周部を親指と人差し指で挟持し、装飾部材２及び回動装飾材３の挟持部３５、３６を耳たぶＥの表裏面に接触させた後、装飾部材２、回動装飾材３の外周部を親指と人差し指とで軽く押圧することによりイヤリング本体１で耳たぶＥを挟持しながら、補聴器本体２０を耳に装着できる。この場合、装飾部材２及び回動装飾材３の挟持部同士の間隔を任意に調節できることで、異なる耳たぶＥの厚さに応じて最も適した挟着状態で装着可能になる。
【００３２】
このようにイヤリング本体１の連結部材５の係止部１０を補聴器本体２０の取出突部２１に着脱自在に係止できることで、イヤリング本体１による優れた装飾性を発揮しながらこのイヤリング本体１の耳たぶＥへの挟着によって補聴器本体２０の脱落を防止できる。既存の補聴器本体２０を使用できるため、補聴器の形状を変更することなく、安定した装着性を発揮しつつ装飾性を著しく向上できる。
【００３３】
しかも、回動脚部３０と回動基部３１との間に金属薄板３３を介在させた状態で軸部３４で加締めるように構成し、金属薄板３３に一面が膨出したアール面３８が設けられていることにより、金属薄板３３が圧縮されて弾性変形し、大きな復元力を発揮してその外周縁部４０を回動脚部３０及び回動基部３１の各圧接面４１、４２に強い力で押付けできる。その結果、金属薄板３３と圧接面４１、４２との間に大きな摩擦力が発生し、装飾部材２と回動装飾材３との相互の回動が阻止される。
【００３４】
これにより、耳たぶＥに装着したイヤリング本体１がみだりに緩むことが防がれて、使用中に開放して脱落することもない。しかも、このような挟着力は、イヤリング本体１が開放しようとことを阻止する力であり、イヤリング本体１を閉鎖しようとする力ではないため、長時間装着しても耳たぶＥに痛みが生じることがない。
【００３５】
さらに、前述したように回動基部３１の側面幅ｂを金属薄板３３の多角形の外接円直径ａよりも長く形成して金属薄板３３の外周縁部４０が回動基部３１の側面幅ｂより露出することがない状態で、回動脚部３０と回動基部３１の一対の圧接面４１、４２で外周縁部４０を圧接させているため、金属薄板３３が装飾部材２と回動装飾材３との外部に露出することがなく、貴金属からなるイヤリング本体１の装飾的価値が損なわれることがない。イヤリング本体１の表面の研磨をおこなった際には、金属薄板３３が研磨されることもなく、着脱時に耳たぶＥや手指を傷つけるおそれのない安全性に優れたイヤリング本体１を設けることができる。
【００３６】
図３、図４においては、本発明における補聴器付きイヤリングの第２実施形態を示している。なお、この実施形態以降において、前記実施形態と同一部分は同一符号によってあらわし、その説明を省略する。
【００３７】
この実施形態におけるイヤリング本体５０は、耳かけ型補聴器に取付けられる。耳かけ型の補聴器本体６０には耳掛け用の紐状部６１、イヤホン６２が設けられ、紐状部６１を介してイヤリング本体５０がこの補聴器本体６０に着脱可能に設けられる。補聴器本体６０は、一般的に使用される既存のものであり、紐状部６１、イヤホン６２は耳へ音を導く部分として予め設けられている。補聴器本体６０は、イヤホン６２を耳あなに挿入しつつ紐状部６１を耳に掛けることで耳の裏側に簡単に装着可能になっており、この耳かけ型補聴器においても、耳あな型補聴器と同様に、アンプ、マイク、電池等の部品が内蔵されて外部の音を拡大増幅可能になっている。
【００３８】
イヤリング本体５０は、前述の場合と同様に装飾部材７０と回動装飾材７１とを有し、これらのうちの少なくとも一端部、本例では装飾部材７０の自由端部に長尺状の連結部材７５が一体に突出形成されている。
図４（ａ）に示すように、連結部材７５は適宜のひねり形状の曲線部位を有し、この曲線部位により、補聴器本体６０への装着後にイヤリング本体５０が耳たぶＥに装着しやすい向きになると同時に全体の装飾性も向上している。連結部材７５には係止部８０が設けられ、この係止部８０は、着脱溝８１、長穴部８２を有する長孔状の挿通孔よりなっている。
【００３９】
図４（ｂ）において、着脱溝８１は、長穴部８２に対して交差方向に形成され、その幅Ｗ２が紐状部６１の太さＴ２よりもやや広く形成されている。長穴部８２は着脱溝８１に続けて連結部材７５の長さ方向に沿って形成され、着脱溝８１と同様にその幅Ｗ３が紐状部６１の太さＴ２よりもやや広く形成され、耳掛け装着した補聴器本体６０の紐状部６１が長穴部８２の適宜の位置で挿通状態になるようになっている。
このような構成であることにより、係止部８０を耳かけ型補聴器本体６０の紐状部６１に着脱自在に係止させることで、イヤリング本体５０を補聴器本体６０に取付けた補聴器付きイヤリングが設けられる。
【００４０】
この実施形態におけるイヤリング本体５０では、回動装飾材７１の挟持部３６に樹脂製の被覆材８５が設けられ、この被覆材８５により耳たぶＥへの装着時の滑り止め性能が高まっている。被覆材８５は、前述したイヤリング本体１に設けられていてもよく、必要に応じて任意に設けることができる。
【００４１】
この補聴器付きイヤリングを耳に装着する際には、先ず、図４（ｂ）においてイヤリング本体５０を補聴器本体６０に取付ける。この場合、補聴器本体６０の紐状部６１を連結部材７５の着脱溝８１から長穴部８２に挿入してイヤリング本体５０を補聴器本体６０に係止させた状態にする。
【００４２】
次いで、図３に示すようにイヤホン６２を耳あなに挿入しながら補聴器本体６０を耳の裏側に耳掛けし、紐状部６１に対して長穴部８２を介してイヤリング本体５０をスライドさせるようにしながら耳たぶＥを挟む位置に調整する。この状態で装飾部材７０、回動装着材７１を開き、これら装飾部材７０と回動装着材７１との外周部を親指と人差し指で挟持しながら挟持部３５、３６（被覆材８５）を耳たぶＥの表裏面に接触させる。続いて、親指と人差し指とで装飾部材７０と回動装着材７１との外周部を軽く押圧することで、イヤリング本体５０で耳たぶＥを挟持しながら補聴器本体６０を耳に装着できる。この場合、紐状部６１を長穴部８２の任意の位置にスライドできることで、耳かけした補聴器本体６０に対してイヤリング本体５０をずらして耳たぶＥの最適な位置に調節した上で挟持可能になっている。
【００４３】
このように、イヤリング本体５０の係止部８０を補聴器本体６０の紐状部６１に着脱自在に係止できることで、既存の耳かけ型補聴器本体６０を使用しながらイヤリング本体５０によって装飾性と脱落防止性とを向上できる。
【００４４】
図５においては、本発明における補聴器付きイヤリングの第３実施形態の装着状態を示している。この実施形態におけるイヤリング本体９０は、図１と同様に耳あな型の補聴器本体２０に取付けられる。
【００４５】
イヤリング本体９０において、装飾部材２の一端部には連結部材９１が設けられ、この連結部材９１は中央付近で折り曲げられて折曲部９２が形成され、この折曲部９２により連結部材９１には隙間部９３が設けられている。さらに、折曲部９２には、長孔状の挿通孔からなる係止部９５が設けられている。
【００４６】
図に示すように、イヤリング本体９０を補聴器本体２０に取付ける場合には、係止部９５から球状部２２を挿入するようにし、この球状部２２が隙間部９３に位置することで、補聴器付きイヤリングを耳に装着したときには、球状部２２が連結部材９１の折り曲げ部位に隠れて正面側や背面側から見えづらくなる。これにより、この補聴器付きイヤリングは、耳への装着後の装飾性が高まっている。
【００４７】
図示しないが、係止部９５の幅は球状部２２の外径よりも小さく設けられており、これにより球状部２２の係止部９５からの抜け出しが防がれて、イヤリング本体９０と補聴器本体２０とが一体化した状態が保持される。球状部２２は、やや力を込めるようにすれば係止部９５に対して簡単に着脱可能になっている。係止部９５は、イヤリング本体１の場合と同様に、着脱穴１１、長穴部１２、円弧状溝１３を有する態様であってもよい。
【００４８】
図６においては、本発明における補聴器付きイヤリングの第４実施形態の装着状態を示している。この実施形態におけるイヤリング本体１００は、図３と同様に耳かけ型の補聴器本体６０に取付けられる。
【００４９】
イヤリング本体１００において、装飾部材７０の一端部には連結部材１０１が設けられ、この連結部材１０１は中央付近で折り曲げられて折曲部１０２が形成されている。この折曲部１０２を設けていることで、連結部材１０１の折り曲げ部位付近に係止部１０５が形成され、その開口側には紐状部６１の外径よりも間隔の狭い隙間部１０６が形成される。折曲部１０２は、折り曲げ部位付近において適度のばね性を有しており、このばね性により隙間部１０６の間隔が広くなることが可能になっている。
【００５０】
このような構成により、連結部材１０１の隙間部１０６の開口側より紐状部６１を差し込んで係止部１０５に係止させるようにすれば、簡単にイヤリング本体１００を補聴器本体２０に取付けできる。しかも、通常時には紐状部６１の外径よりも隙間部１０６の間隔が小さくなっていることで紐状部６１の抜け出しが防がれ、イヤリング本体１００と補聴器本体６０とが一体化した状態が保持される。この補聴器付きイヤリングは、装飾部材７０に長穴等が形成されていない態様であることにより、装飾部材７０に連結部材１０１を一体に設けたときの美観が向上し、装飾性が高まっている。
【００５１】
以上のように、イヤリング本体は、耳あな型、耳かけ型の補聴器の何れの態様であってもよく、或は、その他のタイプを有する既存の補聴器に対しても、イヤリング本体に連結部材を設けることでこの連結部材を介して補聴器を連結することができる。何れの場合においても、連結部材を上述したような適宜の形状でイヤリング本体と一体に形成することにより構造が複雑化することなく容易に設けることができる。しかも、連結部材に長孔状の挿通孔又は挿通部からなる係止部を形成し、この係止部を介してイヤリング本体と補聴器本体とを位置調節できることで、使用者ごとに異なる耳の大きさに合わせて最適の装着状態にできる。
【符号の説明】
【００５２】
１、５０  イヤリング本体
２  装飾部材
３  回動装飾材
５、７５  連結部材
１０、８０  係止部
２０、６０  補聴器本体
２１  取出突部
３０  回動脚部
３１  回動基部
３３  金属薄板
３４  軸部
３８  アール面
４０  外周縁部
４１、４２  圧接面
６１  紐状部
ａ  外接円直径
ｂ  側面幅
Ｅ  耳たぶ
【図１】
2014225771.tif 000003
【図２】
2014225771.tif 000004
【図３】
2014225771.tif 000005
【図４】
2014225771.tif 000006
【図５】
2014225771.tif 000007
【図６】
2014225771.tif 000008
【図７】
2014225771.tif 000009